(57)【特許請求の範囲】
【請求項１】
商品陳列用フックの軸部に取り付けて、該軸部に配置される商品の後退を防止するフックストッパであって、
該フックストッパには、前記商品陳列用フックにおける外径の異なる複数の軸部に取付可能とするように、取付時の前記軸部の外径寸法より、僅かに小さい内径寸法とした収納孔部と、該収納孔部の一部を開口させて、取り付ける前記軸部を前記収納孔部に挿入可能な挿入口部と、を備えた取付孔が、前記各軸部にそれぞれ対応して、複数個形成され、
前記フックストッパが、軸方向に沿って設けられたスリットを前記挿入口部として、内周側を前記収納孔部とした筒状体から構成され、該筒状体の軸直交方向として、前記スリットを間に対向する前記筒状体の周壁相互を貫通するように残りの前記取付孔が形成されていることを特徴とするフックストッパ。
【請求項２】
前記筒状体の軸直交方向に形成される前記取付孔は、前記筒状体の軸方向における略中央付近に配置されていることを特徴とする請求項１記載のフックストッパ。
【発明の詳細な説明】
【０００１】
【発明の属する技術分野】
本発明は、商品陳列用フックの軸部に取り付けて、その取付部位の前方に配置された商品の後退を防止するフックストッパに関する。
【０００２】
【従来の技術とその課題】
従来、商品陳列用フックの軸部に取り付けて、その取付部位の前方に配置された商品の後退を防止するフックストッパとしては、内径が軸部の外径と略同一に形成された略円筒形状の合成樹脂製のものを、軸部に嵌合させる構成のものが使用されていた。しかし、このような構成のフックストッパは、内径を軸部の外径に合わせて形成されているため、商品陳列用フックにおける軸部の外径が変わると使用できなかった。
【０００３】
そこで、軸部の外径が異なっても使用可能なように、図１に示すようなフックストッパ１が使用されていた。このフックストッパ１は、天井壁部２と天井壁部２の両端から下方に延びる２つの側壁部３・３とを備えた断面略逆Ｕ字形状として、下方に軸部挿入口５が開口されており、２つの側壁部３・３で、軸部Ｊを挟持する軸部挟持部６を構成していた。この軸部挟持部６は、それぞれ、軸部Ｊに沿うように、断面略円弧状に形成されるものであり、径の異なる軸部、例えば、外径の大きな軸部に取り付ける場合にも、軸部挿入口５を押し広げるようにして軸部Ｊを挿入させることにより、取付可能な構成とされていた。
【０００４】
このようなフックストッパ１は、軸部挟持部６を構成する円弧の内径より若干大きい外径を備えた軸部Ｊには、最適な挟持力で取り付けることができた。しかし、例えば、軸部挟持部６の円弧よりも外径の小さな軸部に使用する場合には、軸部挟持部６の挟持力がなく、軸部に対してフックストッパ１が動いてしまう。また逆に、軸部挟持部６の円弧よりも明らかに外径の大きな軸部に使用する場合には、取付時に軸部挿入口５を押し広げなければならず、かつ、取り付けた際の軸部挟持部６の挟持力が強すぎるため、取り付け及び取り外し作業に手間取ってしまっていた。
【０００５】
本発明は、上記にかんがみて、異なる外径の軸部を備えた商品陳列用フックに好適に使用できるフックストッパを提供することを目的とする。
【０００６】
【課題を解決するための手段】
本発明に係るフックストッパは、商品陳列用フックの軸部に取り付けて、軸部に配置される商品の後退を防止するフックストッパであって、フックストッパには、商品陳列用フックにおける外径の異なる複数の軸部に取付可能とするように、取付時の軸部の外径寸法より、僅かに小さい内径寸法とした収納孔部と、収納孔部の一部を開口させて、取り付ける軸部を収納孔部に挿入可能な挿入口部と、を備えた取付孔が、各軸部にそれぞれ対応して、複数個形成され、
フックストッパが、軸方向に沿って設けられたスリットを挿入口部として、内周側を収納孔部とした筒状体から構成され、筒状体の軸直交方向として、スリットを間に対向する筒状体の周壁相互を貫通するように残りの取付孔が形成されていることを特徴とする。
【０００７】
そのため、軸部の外径によって、取り付ける取付孔を変更することができて、商品陳列用フックにおける外径の異なる軸部に取り付け可能である。また、各取付孔の内径寸法が各軸部の外径寸法より僅かに小さな構成とされているため、各軸部に対して、それぞれ、最適な挟持力で取り付けることができて、取り扱いが良好となる。
【０００８】
従って、本発明に係るフックストッパは、異なる外径の軸部を備えた商品陳列用フックに好適に使用可能である。
【０００９】
また、フックストッパを、軸方向に沿って設けられたスリットを挿入口部として、内周側を前記収納孔部とした筒状体から構成し、筒状体の軸直交方向として、スリットを間に対向する筒状体の周壁相互を貫通するように残りの取付孔が形成される構成としていることから、残りの取付孔が筒状体の周壁相互を貫通するように２箇所の開口により形成されて、これら一対の開口からなる取付孔で軸部に取り付けることとなるため、この取付孔を使用する際にも、２箇所の開口内周面に支持させて安定して軸部に取り付けることができる。また、筒状体を利用して取付孔を形成し、他の取付孔を筒状体の軸と直交するように形成しているため、フックストッパ自体をコンパクトに形成することができて、嵩張らない。そのため、使用時に商品前出し具等を併用する場合にも、商品前出し具と干渉しがたい。
【００１０】
さらに、筒状体の軸直交方向に形成される取付孔を、筒状体の軸方向における略中央付近に配置させる構成とすれば、この取付孔を使用して軸部に取り付ける際に、フックストッパの左右方向におけるバランスが良好となり、さらに安定して軸部に取り付けることができる。
【００１１】
【発明の実施の形態】
以下、本発明の一実施形態を図面に基づいて説明する。
【００１２】
本発明の一実施形態であるフックストッパ１１を図２〜４に示す。フックストッパ１１は、ポリアミド樹脂等の合成樹脂からなり、軸方向に沿って設けられたスリット１４を有する略円筒形状のフックストッパ本体１２を備えて構成されている。このフックストッパ本体１２は、内周側を収納孔部１７とし、スリット１４を商品陳列用フックＦ１の軸部Ｊ１を収納孔部１７に挿入させるための挿入口部１８として構成される第一取付孔１６を備えている。また、フックストッパ本体１２の軸方向における略中央付近には、フックストッパ本体１２の軸直交方向として、スリット１４を間に対向するフックストッパ本体１２の周壁１３相互を貫通するように形成されて、商品陳列用フックＦ２の軸部Ｊ２へ取り付けるための第二取付孔２０が形成されている。この第二取付孔２０は、周壁１３ａ・１３ｂにそれぞれ形成される一対の開口２０ａ・２０ｂから構成されるものであり、各開口２０ａ・２０ｂは、それぞれ、略円形の収納孔部２１と、収納孔部２１とスリット１４とを連通する挿入口部２２と、を備えている。また、第一・第二取付孔１６・２０における各収納孔部１７・２１は、図３・４に示すように、商品陳列用フックＦ１・Ｆ２における外径の異なる複数の軸部Ｊ１・Ｊ２に取付可能に、それぞれ、異なる内径寸法ｄ１・ｄ２を備えて構成されている。なお、実施形態では、第一取付孔１６における収納孔部１７の内径寸法ｄ１が、軸部Ｊ１に対応して、軸部Ｊ２に対応する第二取付孔２０における収納孔部２１の内径寸法ｄ２よりも大きく形成されている。そして、各収納孔部１７・２１の内径寸法ｄ１・ｄ２は、それぞれ、取り付ける軸部Ｊ１・Ｊ２の外径寸法よりも僅かに小さくされている。なお、各挿入口部１８・２２の開口幅寸法ｗ２・ｗ３は、それぞれ、各収納孔部１７・２１の内径寸法ｄ１・ｄ２より小さく、各軸部Ｊ１・Ｊ２を挿入可能な寸法に設定されている。また、フックストッパ本体１２の外径寸法Ｄ１は、第一取付孔１６を使用して軸部Ｊ１に取り付ける際に、取付部位の前方に、軸部Ｊ１への取付穴を利用して配置された商品Ｓの後退を十分に防止可能な寸法に設定されている。さらに、フックストッパ本体１２における軸方向の両端は、上端付近が斜面状に面取りされて、テーパ面１２ａ・１２ａが形成されている。
【００１３】
本実施形態のフックストッパ１１では、各挿入口部１８・２２を押し広げるようにして、各収納孔部１７・２１に商品陳列用フックＦ１・Ｆ２の軸部Ｊ１・Ｊ２を、それぞれ挿入させて、図５・６に示すように、第一取付孔１６もしくは第二取付孔２０を使用して商品陳列用フックＦ１・Ｆ２に取り付ければ、フックストッパ１１の取付部位の前方に配置される商品Ｓの後退を防止することができる。
【００１４】
そして、本実施形態のフックストッパ１１は、各取付孔１６・２０の内径寸法ｄ１・ｄ２が、それぞれ、各軸部Ｊ１・Ｊ２の外径寸法より僅かに小さな構成とされているため、各取付孔１６・２０を使用して、各軸部Ｊ１・Ｊ２に対し、最適な挟持力で取り付けることができて、取り扱いが良好となる。
【００１５】
従って、本発明に係るフックストッパ１１は、異なる外径の軸部Ｊ１・Ｊ２を備えた商品陳列用フックＦ１・Ｆ２に好適に使用可能である。
【００１６】
また、本実施形態のフックストッパ１１では、第二取付孔２０がフックストッパ本体１２の周壁１３ａ・１３ｂ相互を貫通するように、２箇所の開口２０ａ・２０ｂにより形成されており、これら一対の開口２０ａ・２０ｂからなる第二取付孔２０で軸部Ｊ２に取り付けることとなるため、第二取付孔２０を使用する際にも、２箇所の開口２０ａ・２０ｂ内周面（収納孔部２１・２１内周面）に支持させて安定して軸部Ｊ２に取り付けることができる。
【００１７】
なお、本実施形態では、取付孔として、第一取付孔１６と第二取付孔２０との２種類の取付孔が形成されているが、取付孔の数はこれに限られるものではなく、第二取付孔と平行となるように、さらに他の取付孔を形成して合計３個以上の取付孔を備える構成としてもよい。しかし、実施形態のごとく、取付孔の形成数を２個として、フックストッパ本体１２の軸方向における略中央付近に第二取付孔２０を配置させる構成とすれば、図６に示すように、第二取付孔２０を使用して商品陳列用フックＦ２における軸部Ｊ２に取り付ける際に、フックストッパ１１の左右方向におけるバランスが良好となり、安定して軸部Ｊ２に取り付けることができるため、好ましい。
【００１８】
また、本実施形態のフックストッパ１１は、図６に示すように、フックストッパ１１を第二取付孔２０を使用して軸部Ｊ２に取り付けた状態でも、図例に示すようなフック用商品前出し具（以下「商品前出し具」と省略する）２７を併用することができる。この商品前出し具２７は、フックバーＢに取り付けるための取付基部２８と、取付基部２８から前方に突出するように配設される支持部２９と、支持部２９に対して前後方向にスライド可能に支持される商品前出し部３０と、を備える構成である。そして、商品前出し部３０において、対向するように配置される２つの略板状の押圧片３１・３１で、商品Ｓを押圧して前出しする構成である。フックストッパ１１を第二取付孔２０を使用して軸部Ｊ２に取りつけた状態で、この商品前出し具２７を使用する場合、フックストッパ１１の軸方向の幅寸法ｗ１を、２つの押圧片間３１・３１の間隔寸法ｗ４よりも小さくする必要がある。
【００１９】
そして、本実施形態では、フックストッパ本体１２の軸方向における両端の上端付近が斜面状に切り欠かれて、テーパ面１２ａ・１２ａが形成されている。そのため、上記構成の商品前出し具２７を使用する際に、フックストッパ１１が軸部Ｊ２に対して左右方向に回転した状態にあって、押圧片３１・３１とフックストッパ１１が当接した場合にも、押圧片３１・３１がテーパ面１２ａ・１２ａに案内されて、フックストッパ１１を通過させることができ、押圧片３１・３１とフックストッパ１１との干渉を防ぐことができる。なお、この点を考慮しなければ、フックストッパ本体１２にテーパ面１２ａ・１２ａを形成しない構成としてもよい。
【００２０】
なお、図６のように使用する場合に限らず、勿論、図５に示すように、フックストッパ１１を第一取付孔１６を使用して軸部Ｊ１に取り付けた状態でも、商品前出し具２７を併用することができる。
【００２１】
さらに、フックストッパ３４として、図７に示すように、フックストッパ本体１２の軸方向における両端付近に、半径方向外方へ突出するフランジ部３５を略全周にわたって配置させた構成のものを使用してもよい。このような構成とすれば、図８に示すように、第一取付孔１６を利用して商品陳列用フックＦ１における軸部Ｊ１に取り付けて使用する際、フランジ部３５を設けた分、商品Ｓのフックストッパ３４と干渉する面積が大きくなるため、商品Ｓに形成される軸部Ｊ１への取付穴が多少大きな場合にも、商品Ｓの後退を確実に防止することが可能となる。
【図面の簡単な説明】
【図１】従来のフックストッパの斜視図
【図２】本発明の一実施形態であるフックストッパの平面図
【図３】図２のフックストッパの右側面図
【図４】図２のフックストッパの背面図
【図５】図２のフックストッパを商品陳列用フックに取り付けた状態の斜視図
【図６】図２のフックストッパを商品陳列用フックに取り付けた状態の斜視図
【図７】本発明の他の実施形態であるフックストッパの斜視図
【図８】図７のフックストッパを商品陳列用フックに取り付けた状態の斜視図
【符号の説明】
１１・３４  フックストッパ
１２  フックストッパ本体
１２ａ  テーパ面
１３  周壁
１４  スリット
１６  第一取付孔
１７  収納孔部
１８  挿入口部
２０  第二取付孔
２１  収納孔部
２２  挿入口部
Ｆ１・Ｆ２  商品陳列用フック
Ｊ１・Ｊ２  軸部
【図１】
0004601142.tif 000002
【図２】
0004601142.tif 000003
【図３】
0004601142.tif 000004
【図４】
0004601142.tif 000005
【図５】
0004601142.tif 000006
【図６】
0004601142.tif 000007
【図７】
0004601142.tif 000008
【図８】
0004601142.tif 000009